(57)【要約】【課題】  畝面に対する被覆施工作業が容易に且つ正確に行えると共に安定した農作物の育成を可能にし、また、回収も容易で繰り返し使用することができるマルチ栽培用畝カバーを提供する。【解決手段】  畝カバーのカバー本体１は畝面に接して畝Ａを被覆するように断面アーチ形状に樹脂成形されて繰り返し使用可能に構成されてあり、このカバー本体１に幅方向及び長さ方向に所定間隔毎に複数個の円形植付孔２を設けていると共にカバー本体１の両側フランジ部1c、1cの前後両端部に土中に突き刺してカバー本体１を固定するためのペグ５を設けてあり、この畝カバーを複数個、畝Ａの長手方向に順次直列状に接続して畝Ａを被覆して上記植付孔２を通じて畝Ａに播種や苗の植付けを行うように構成している。【選択図】    図６
2014054210.tif 000002
【特許請求の範囲】
【請求項１】
内面が畝面に接するように断面アーチ状に樹脂成形された所定長さを有するカバー本体の両側端部に、畝の両側に形成された溝部の長手方向に配置される互いに平行なフランジ部を一体に形成していると共に、カバー本体に幅方向及び長さ方向に所定間隔を存して複数個の植付孔を設け、且つ、上記両側フランジ部の両端部に土中に突き刺すことによってカバー本体を固定するためのペグを設けてなり、このカバー本体を複数個、畝の長手方向に直列状に接続することによって畝を全面的に被覆するように構成していることを特徴とするマルチ栽培用畝カバー。
【請求項２】
植付孔は、カバー本体に円形の切り込み線を形成し、この切り込み線に沿って切り込み線で囲まれた部分を除去することにより開設するように構成していることを特徴とする請求項１に記載のマルチ栽培用畝カバー。
【請求項３】
カバー本体の両側フランジ部の両端部下面に軸受片を一体に形成してあり、この軸受片にペグを下方に向かって起伏回動自在に枢着していることを特徴とする請求項１に記載のマルチ栽培用畝カバー。
【請求項４】
カバー本体の両側フランジ部の両端部に下方に向かって折り曲げ可能なペグを一体に形成していることを特徴とする請求項１に記載のマルチ栽培用畝カバー。
【請求項５】
カバー本体の長さ方向の一端縁部に他端部に重ね合わせてカバー本体同士を接続するための接続縁部を形成していることを特徴とする請求項１に記載のマルチ栽培用畝カバー。
【発明の詳細な説明】
【技術分野】
【０００１】
本発明は、畑や菜園等において農作物を栽培する際に、培土された畝面を被覆して雑草の繁茂を防除すると共に土壌の水分保持や保湿、保温等を行うマルチ栽培用畝カバーに関する。
【背景技術】
【０００２】
農作物の栽培において、作物の早期安定生産を可能にし、収益性を高めるために、従来から、例えば、特許文献１、２に記載されているように、ポリエチレンに代表されるポリオレフィン系樹脂フィルムや塩化ビニル系樹脂フィルム等の合成樹脂製のマルチフィルムを使用してこのマルチフィルムによって畝の表面を被覆し、マルチフィルムに開けられた植付孔を通じて畝に植物を播種したり苗を植え付けることによって農作物を栽培するマルチ栽培が行われている。そして、このマルチ栽培においては、畝面を被覆した上記マルチフィルムによって雑草の繁茂の抑制や土中の水分保持、地温の上昇、土壌の固結防止、養分流出防止等を行い、農作物の生育を促進している。
【先行技術文献】
【特許文献】
【０００３】
【特許文献１】特開２００３−３８０４５号公報
【特許文献２】特開２００４−３３７０５８号公報
【発明の開示】
【発明が解決しようとする課題】
【０００４】
しかしながら、上記マルチ栽培によれば、マルチフィルムによって畝を被覆しているため、その被覆作業を行うには、一定幅を有する長尺帯状のマルチフィルムを使用してこのマルチフィルムを畝の長さ方向に展張しながら畝を全長に亘って被覆すると共に、その両側端部を、畝の両側に作業用通路として形成している溝部に展張し、風にあおられて捲れ上がることのないようにアンカー等によって土壌に固定すると共にその上面に土壌を被せて埋設しておかねばならず，この作業を人手によって行うには多大な労力と時間を要すると共に綺麗に被覆することが困難であるため、マルチャー等で機械的に展張作業を行っているのが現状である。
【０００５】
さらに、苗の植付時には、カッタ等によってマルチフィルムに切り込みを入れて植付用開口部を形成しているが、この切口が風雨によりひらひらと揺れ動いて植付けた苗に接触し、苗を傷つけたり成育を阻害する虞れがあり、また、植付用開口部の穿設作業が能率よく行えないばかりでなく、穿設間隔も不揃いとなって好ましくない。その上、畝を被覆しているマルチフィルムがその柔軟性によって部分的に凹みが発生してその凹部に降雨や散水による水が溜まり、この水が夏期においては高温化する一方、冬期においては低温化、或いは凍結して農作物の育成に悪影響を及ぼすことになる。
【０００６】
また、収穫後においては、上記マルチフィルムを畝から剥離、回収する作業に手間を要するばかりでなく、このマルチフィルムは再使用できないために廃棄処分しなければならず、毎回、新規購入となるために不経済であるといった問題点があった。
【０００７】
本発明はこのような問題点に鑑みてなされたもので、その目的とするところは、畝面に対する被覆施工作業が容易に且つ正確に行えると共に風雨によってあおられたりするようこともなく安定した被覆状態で土壌に強固に固定しておくことができ、その上、播種や苗の植付けが所定間隔毎に綺麗に行うことができると共に雨水や散水等の水が溜まるような凹部などの形成が生じることなく常に一定の形態でもって畝を被覆して農作物の安定育成を可能にすることができ、また、収穫後においては、畝からの剥離、回収作業が容易に行えると共に回収後にはコンパクトに積み重ねて保管しておくことができ、次の農作物の栽培に再び使用することができるマルチ栽培用畝カバーを提供するにある。
【課題を解決するための手段】
【０００８】
上記目的を達成するために本発明のマルチ栽培用畝カバーは、請求項１に記載したように、内面が畝面に接するように断面アーチ状に樹脂成形された所定長さを有するカバー本体の両側端部に、畝の両側に形成された溝部の長手方向に配置される互いに平行なフランジ部を一体に形成していると共に、カバー本体に幅方向及び長さ方向に所定間隔を存して複数個の植付孔を設け、且つ、上記両側フランジ部の両端部に土中に突き刺すことによってカバー本体を固定するためのペグを設けてなり、このカバー本体を複数個、畝の長手方向に直列状に接続することによって畝を全面的に被覆するように構成していることを特徴とする。
【０００９】
このように構成したマルチ栽培用畝カバーにおいて、請求項２に係る発明は、上記植付孔は、カバー本体に円形の切り込み線を形成し、この切り込み線に沿って切り込み線で囲まれた部分を除去することにより開設するように構成していることを特徴とする。
【００１０】
また、請求項３に係る発明は、上記カバー本体の両側フランジ部の両端部下面に軸受片を一体に形成してあり、この軸受片にペグを下方に向かって起伏回動自在に枢着していることを特徴とする。
【００１１】
一方、請求項４に係る発明は、上記カバー本体の両側フランジ部の両端部に下方に向かって折り曲げ可能なペグを一体に形成していることを特徴とする。
【００１２】
請求項５に係る発明は、カバー本体の長さ方向の一端縁部に他端部に重ね合わせてカバー本体同士を接続するための接続縁部を形成していることを特徴とする。
【発明の効果】
【００１３】
請求項１に係る発明によれば、カバー本体は、内面が畝面に接するように断面アーチ状に樹脂成形されてあり、このカバー本体を複数個、畝の長手方向に順次、直列状に接続することによって畝を全面的に被覆するように構成しているので、カバー本体は断面アーチ状の形成を保持しているから、畝面に接するようにしてカバー本体を畝に被覆施工する作業が簡単且つ正確に行えると共に、被覆した状態においては畝の土壌崩落を確実に防止して畝を一定の形態に保持しながら農作物の成育を促進することができ、その上、カバー本体の両側端部に、畝の両側に形成された溝部の長手方向に配置される互いに平行なフランジ部を一体に形成していてこの両側フランジ部の両端部にペグを一体に設けているので、カバー本体で畝面を被覆すると同時にペグを畝の両側溝部の土中に突き刺すことによってカバー本体を強固に固定することができ、風雨によりあおられたりする虞れもなく安定した畝被覆状態を保持しておくことができる。
【００１４】
さらに、カバー本体に幅方向及び長さ方向に所定間隔を存して複数個の植付孔を設けているので、畝面にカバー本体を被覆したのち、これらの植付孔を通じて畝に播種や苗の植付けが能率よく且つカバー本体の全面に亘って所定間隔毎に正確に綺麗に行え、その上、カバー本体は樹脂成形品であって断面アーチ形態を保持しているため、雨水や散水等の水が溜まるような凹部などが生じることなく常に安定した状態で畝を被覆することができると共に苗を傷つけたりすることなく成育することができる。
【００１５】
また、収穫後においては、カバー本体を畝から剥がすようにして簡単に回収することができると共に、回収後にはコンパクトに積み重ねて保管しておくことができ、次の農作物の栽培に再び使用することができて経済的である。
【００１６】
請求項２に係る発明によれば、上記植付孔は、カバー本体に円形の切り込み線を形成し、この切り込み線に沿って切り込み線で囲まれた部分を除去することにより開設するように構成しているので、使用開始時に切り込み線から該切り込み線によって囲まれた部分を除去することにより、簡単に一定大きさの植付孔を開設することができる。
【００１７】
請求項３に係る発明によれば、上記カバー本体の両側フランジ部の両端部下面に軸受部を一体に形成してあり、この軸受部にペグを下方に向かって起伏回動自在に枢着しているので、カバー本体の保管時や運搬時等にはペグをフランジ部の下面に沿うように折り畳んでおくことによって安全に取り扱うことができ、畝にカバー本体を被覆施工する際には該ペグを下方に起立させることによって畝に対するカバー本体の固定作業が容易に且つ確実に行うことができる。
【００１８】
同様に、請求項４に係る発明によれば、上記カバー本体の両側フランジ部の両端部に下方に向かって折り曲げ可能なペグを一体に形成しているので、カバー本体の保管時や運搬時等にはペグをフランジ部内に収納状態に倒しておくことによって安全に取り扱うことができ、畝に被覆施工する際には該ペグを下方に向かって起立させることによって畝に対するカバー本体の固定作業が容易に且つ確実に行うことができる。
【００１９】
また，請求項５に係る発明によれば、カバー本体の長さ方向の一端縁部に他端部に重ね合わせてカバー本体同士を接続するための接続縁部を形成しているので、複数個のカバー本体を畝の長手方向に隙間なく容易に且つ正確に接続することができる。
【図面の簡単な説明】
【００２０】
【図１】本発明マルチ栽培用畝カバーの正面図。
【図２】背面図。
【図３】平面図。
【図４】底面図。
【図５】側面図。
【図６】斜視図。
【図７】図３におけるＸ−Ｘ線断面図。
【図８】図３におけるＹ−Ｙ線断面図。
【図９】図３におけるY1−Y1線拡大断面図。
【図１０】ペグの斜視図。
【図１１】ペグを取付けた部分の拡大縦断正面図。
【図１２】ペグを折り畳み収納している状態の簡略斜視図。
【図１３】ペグを下方に起こした状態の簡略斜視図。
【図１４】切り込み線から切除して植付孔を開口させた状態の断面図。
【図１５】全ての植付孔を開口させた状態の畝カバーの斜視図。
【図１６】畝に被覆施工している状態の簡略斜視図。
【図１７】畝の全長に亘って畝カバーを被覆施工した状態の簡略斜視図。
【図１８】苗を育成している状態の簡略斜視図。
【図１９】異なる構造のペグを設けているマルチ栽培用畝カバーの正面図。
【図２０】背面図。
【図２１】平面図。
【図２２】底面図。
【図２３】側面図。
【図２４】斜視図。
【図２５】図２１におけるＸ−Ｘ線断面図。
【図２６】図２１におけるＹ−Ｙ線断面図。
【図２７】図２１におけるY1−Y1線拡大断面図。
【図２８】ペグ配設部分の拡大平面図。
【図２９】ペグ配設部分の拡大縦断側面図。
【図３０】ペグ配設部分の簡略斜視図。
【図３１】ペグを下方に起こした状態の簡略斜視図。
【図３２】苗を育成している状態の簡略斜視図。
【発明を実施するための形態】
【００２１】
次に、本発明の具体的な実施の形態を図面について説明すると、図１〜図８において、カバー本体１はリサイクル可能なポリプロピレン樹脂からなる樹脂成形品であって、その内面が培土された畝Ａ（図16〜図18に示す）の畝面に接するように断面アーチ状に形成されている。詳しくは、このカバー本体１は、畝Ａの幅方向の中央部を被覆する中央部分1aを幅方向に緩やかな凸円弧状に湾曲させていると共にこの中央部分1aの両側端に連設している両側部分1b、1bを該中央部分1aの両側端から下方に向かって屈曲させて畝Ａの両側面を被覆するように形成してあり、さらに、この両側部分1b、1bの下端から外側方に向かって水平に一定幅を有する互いに平行な細幅長方形状の両側フランジ部1c、1cを形成してなるものである。
【００２２】
このカバー本体１の長さは、畝Ａの長さを複数分割した長さ、即ち、複数個のカバー本体１を畝Ａの長手方向に直列状に接続することによって畝Ａを全面的に被覆することができる長さに形成されている。
【００２３】
さらに、カバー本体１における上記中央部分1aに、その中央部と両側部とに幅方向及び長さ方向に所定間隔を存して畝Ａに播種や苗の植付けを行うための円形の植付孔２、２・・・２を設けている。この植付孔２は、カバー本体１の上下面（内外面）間を貫通した状態に設けておいてもよいが、カバー本体１の製造時において上面から下面に向かって円形の切り込み線（スコア線）３を形成しておき、使用時にこの切り込み線３から切り取ることによって切り込み線３によって囲まれていた部分1dを除去することにより、図14、図15に示すように、植付孔２を開口させるように形成している。
【００２４】
また、カバー本体１の上記両側フランジ部1c、1cにおける長手方向の両端部、即ち、カバー本体１の四隅部に相当する部分に、軸受片４、４、４、４を下方に向かって突設しててあり、これらの軸受片４に地中に突き刺すことによってカバー本体１を固定するためのペグ５を下方に向かって起伏回動自在に枢着している。
【００２５】
具体的には、軸受片４はフランジ部1cの端部において、フランジ部1cの幅方向に小間隔を存して図５等に示すように、下方に向かって切り起こし状態に突設している左右一対の側面半円形状の突片4a、4aからなり、これらの突片4a、4aの中央部に小径の軸受孔4b、4b（図11〜図13参照）を穿設している一方、ペグ５は図10〜図13に示すように、上記軸受片４の突片4a、4aに被せることができる間隔を存した左右に対向した脚片5a、5aの一端縁間をこれらの脚片5a、5aの全長に亘って一定幅を有する連結片5bにより一体に連設して横断面コ字状に形成していると共に脚片5a、5aをその基端側から先端に向かって先細にして楔形状に形成してあり、さらに、これらの脚片5a、5aの基端部における対向する内側面に軸体5c、5cを突設してこの軸体5c、5cを上記軸受片４の左右突片4a、4aに穿設している軸受孔4b、4bに回動自在に挿嵌させている。
【００２６】
また、図６、図８に示すように、カバー本体１の前端側である長さ方向の一端縁部を左右両側のフランジ部1c、1cの外側端に至る全幅に亘ってカバー本体１の厚みに相当する高さだけ断面Ｌ字状に上方に屈折させて、隣接するカバー本体１の長さ方向の他端縁部上に重ね合わせてカバー本体同士を接続するための接続縁部６を形成してあり、この接続縁部６の先端（前端）を下方に屈折させて係止片部6aに形成している一方、カバー本体１の上記他端縁部の先端（後端）を上方に向かって屈折させて上記係止片部6aに係止可能な係止突片部７を形成している。
【００２７】
さらに、カバー本体１に長さ方向に適宜間隔毎にカバー本体１の左右両側のフランジ部1c、1cの外側端に至る全幅に亘ってカバー本体１の下面から上面に向かって膨出した断面円弧状の補強突条部８、８、８を複数条（図においては３条）形成してあり、これらの補強突条部８によってカバー本体１に剛性を付与してカバー本体１が撓み変形や等することなく断面アーチ形状を維持するように構成している。
【００２８】
このように構成した畝カバーを使用してマルチ栽培を行うには、まず、畝カバーが未使用である場合には、畝カバーを畝Ａに施工する前にカバー本体１の複数個所に設けている切り込み線３から該切り込み線３によって囲まれた部分1dを切除することによって円形の植付孔２を開口させたのち、このカバー本体１をその下面が畝面に接するようにして畝Ａに被覆する。この際、カバー本体１の両側フランジ部1c、1cの両端部下面に突設している軸受片４に軸支されたペグ５を人手によって引き起こして図13に示すように下方に突設させておき、一方のフランジ部1cの両端部に設けているペグ５、５と、他方のフランジ部1cの両端部に設けているペグ５、５とを上記畝Ａの両側の土壌に形成している溝部Ｂ、Ｂに突き刺すことによって畝Ａを被覆した状態でカバー本体１を固定する。
【００２９】
この畝カバーによって畝Ａにおける長手方向の一端部を被覆したのち、この畝カバーに隣接して次の畝カバーを上記同様にして畝Ａに被覆、固定する。この際、畝Ａの長手方向に隣接するこれらの畝カバーは、先に畝Ａに被覆、固定した畝カバーのカバー本体１の他端側（後端側）の縁部上面に次に施工する畝カバーのカバー本体１の一端側（前端側）の縁部に形成している断面Ｌ字状の接続縁部６を重ね合わせることによって接続してこの接続縁部６の先端（前端）に下方に向かって屈折形成している係止片部6aを先に施工したカバー本体１の他端縁部に上方に向かって屈折形成している係止片部6aに係合させることによって接続し、この畝カバーの接続作業を図16に示すように畝Ａの長さ方向に順次行うことによって図17に示すように複数個の畝カバーにより畝Ａを全長に亘って被覆する。
【００３０】
このように、畝Ａ上に複数個の畝カバーを直列状に敷き並べながら接続、固定してこれらの畝カバーにより畝Ａを全面的に被覆したのち、或いは、順次接続、固定する作業に並行してこれらの畝カバーのカバー本体１における畝Ａの両側面を被覆している両側部分1b、1bに土を被せて盛土を施すことによりカバー本体１の中央部分1aのみを外部に露呈させた状態にする。しかるのち、カバー本体１の該中央部分1aに開設している上記植付孔２を通じて畝Ａに播種したり苗を植え付け、畝カバーによって雑草の繁茂の抑制や土中の水分保持、地温の上昇、畝Ａの崩土防止等を行いながら農作物を栽培するものである。この際、雨水や散水はカバー本体１に開口している植付孔２から土壌中に浸透するが、カバー本体１の上面に流突す雨水や散水は凸円弧状に湾曲したこのカバー本体１の上面を伝って両側に流出し、カバー本体１上に滞留することはない。
【００３１】
なお、以上の実施例においては、カバー本体１の両側フランジ部1c、1cの前後両端部に設けているペグ５をカバー本体１とは別体に形成して、カバー本体１の両側フランジ部1c、1cの両端下面に突設している軸受片４に回動自在に取付けているが、カバー本体１の両側フランジ部に一体に形成しておいてもよい。
【００３２】
図19〜図26は両側フランジ部1c、1cにペグ5'を一体に形成している畝カバーを示すものであり、カバー本体１の両側フランジ部1c、1cの前後両端部に前後方向（カバー本体１の長手方向）に長いフランジ部1cの上下面間に亘って貫通した長方形状の長孔部９を形成し、この長孔部９内に基端部が該長孔部９の一方の短縁部に連設させているペグ5'をカバー本体１と一体的に樹脂成形してなるものである。なお、この実施例における畝カバーのカバー本体１は上記実施例の畝カバーのカバー本体１と同一形状、同一構造を有し、切り込み線３からの切除によって植付孔２を開口させる構造や、接続縁部、補強突条部８の形状も同じであるので、同一部分に同一符号を付して詳細な説明を省略する。
【００３３】
上記ペグ5'の構造を詳しく説明すると、このペグ5'は上記長孔部９内にこの長孔部９の長手方向にその長手方向を向けて断面十文字形状の軸部5'a を配設してあり、図28〜図30に示すように、この軸部5'a の基端部を長孔部９の幅方向に平坦な板部5'b に形成して、該板部5'b を長孔部９の一方の短縁部に連設していると共にこの板部5'b に軸部5'a を下方に向かって折り曲げ可能にする折目5'c を形成してあり、さらに、軸部5'a の外周面に長さ方向に小間隔毎に小径円板片5'd を一体に設けていると共に軸部5'a の先端に先細の楔部5'e を一体に設けてこの楔部5'e の先端を長孔部９の他方の短縁部に近接させた状態に配設してなる構造を有している。
【００３４】
このように構成したペグ5'を備えている畝カバーによってマルチ栽培を行うには、上記実施例と同様に、まず、この畝カバーが未使用である場合には、畝カバーを畝Ａに施工する前にカバー本体１の複数個所に設けている切り込み線３から該切り込み線３によって囲まれた部分1dを切除することによって円形の植付孔２を開口させたのち、このカバー本体１をその下面が畝面に接するようにして畝Ａに被覆する。この際、カバー本体１の両側フランジ部1c、1cの両端部に設けているペグ5'をその基端折目5'c から折り曲げて下方に向かって起立させ、これらのペグ5'を畝Ａの両側の土壌に形成している溝部Ｂ、Ｂに突き刺すことによって畝Ａを被覆した状態でカバー本体１を固定する。
【００３５】
以下、上記実施例と同様にして、前後に隣接する畝カバー同士を先に畝Ａに被覆、固定した畝カバーのカバー本体１の他端側（後端側）の縁部上面に次に施工する畝カバーのカバー本体１の一端側（前端側）の縁部に形成している断面Ｌ字状の接続縁部６を重ね合わせることによって接続してこの接続縁部６の先端（前端）に下方に向かって屈折形成している係止片部6aを先に施工したカバー本体１の他端縁部に上方に向かって屈折形成している係止片部6aに係合させることによって接続し、この畝カバーの接続作業を畝Ａの長さ方向に順次行うことによって図17に示すように複数個の畝カバーにより畝Ａを全長に亘って被覆する。
【００３６】
さらに、これらの畝カバーのカバー本体１における畝Ａの両側面を被覆している両側部分1b、1bに土を被せて盛土を施すことによりカバー本体１の中央部分1aのみを外部に露呈させた状態にし、しかるのち、カバー本体１の該中央部分1aに開設している上記植付孔２を通じて畝Ａに播種したり苗を植え付け、畝カバーによって雑草の繁茂の抑制や土中の水分保持、地温の上昇、畝Ａの崩土防止等を行いながら農作物を栽培するものである。
【００３７】
なお、上記いずれの実施例においても、畝Ａの地熱を上昇させたい場合には黒色に着色された畝カバーを、地熱を抑制したい場合には白色に着色された畝カバーを、さらに、太陽光を反射させて地熱の上昇を抑制すると共に防虫効果を発揮させるには銀色に着色された畝カバー採用するばよい。
【符号の説明】
【００３８】
Ａ  畝
１  カバー本体１
２  植付孔
３  切り込み線
４  軸受片
５、5'  ペグ
６  接続縁部
７  係止突片部
８  補強突条部
９  長孔部
【図１】
2014054210.tif 000003
【図２】
2014054210.tif 000004
【図３】
2014054210.tif 000005
【図４】
2014054210.tif 000006
【図５】
2014054210.tif 000007
【図６】
2014054210.tif 000008
【図７】
2014054210.tif 000009
【図８】
2014054210.tif 000010
【図９】
2014054210.tif 000011
【図１０】
2014054210.tif 000012
【図１１】
2014054210.tif 000013
【図１２】
2014054210.tif 000014
【図１３】
2014054210.tif 000015
【図１４】
2014054210.tif 000016
【図１５】
2014054210.tif 000017
【図１６】
2014054210.tif 000018
【図１７】
2014054210.tif 000019
【図１８】
2014054210.tif 000020
【図１９】
2014054210.tif 000021
【図２０】
2014054210.tif 000022
【図２１】
2014054210.tif 000023
【図２２】
2014054210.tif 000024
【図２３】
2014054210.tif 000025
【図２４】
2014054210.tif 000026
【図２５】
2014054210.tif 000027
【図２６】
2014054210.tif 000028
【図２７】
2014054210.tif 000029
【図２８】
2014054210.tif 000030
【図２９】
2014054210.tif 000031
【図３０】
2014054210.tif 000032
【図３１】
2014054210.tif 000033
【図３２】
2014054210.tif 000034